(57)【特許請求の範囲】
【請求項１】
上面に開口部が形成された筐体と、筐体内に取り付けられた光学部品と、筐体の開口部の少なくとも一部を封止するように取り付けられた、原稿が載置されるプラテンガラスと有し、
プラテンガラスは、前記開口部の周縁に連続して形成された、筐体上面の他の部分より一段高い支持部によって支持され、プラテンガラスと前記支持部とは気密に接触し、
前記支持部の外周端が、プラテンガラスの外周端よりも内側に位置していることを特徴とする原稿読み取り装置。
【請求項２】
自動原稿搬送装置によって搬送されてきた原稿を読み取るためのスリットガラスをさらに有し、プラテンガラスとスリットガラスとによって筐体の開口部が封止されている請求項１記載の原稿読み取り装置。
【請求項３】
前記支持部に、プラテンガラスを位置決めするための立ち上がり部が切り起こし形成され、切り起こし後の開口は前記筐体の内側から弾性部材で塞がれた請求項１又は２記載の原稿読み取り装置。
【発明の詳細な説明】
【技術分野】
【０００１】
本発明は、複写機、ファクシミリ、プリンターやそれらの機能を複合的に備えた画像形成装置に用いられる原稿読み取り装置に関するものである。
【背景技術】
【０００２】
原稿読み取り装置は、原稿を光学的に走査して読み取る。具体的には、プラテンガラス上に原稿を載置して光を照射し、その反射光や透過光を、光学的に処理してＣＣＤなどの光電変換素子でデジタル信号に変換して画像データとする。ここで、原稿読み取り装置内のミラーやレンズなどの光学部品に埃などの異物が付着すると、当該異物も画像として読み取られる結果、画質の低下を招く。
【０００３】
従来、装置筐体へのプラテンガラスの取り付けは、例えば、高さ位置を決めるために筐体の四隅などに凸部を設けてプラテンガラスを支持していたが、プラテンガラスと筐体との間に隙間が生じ、ここから筐体内に異物が侵入することがあった。また、筐体に形成された開口部にプラテンガラスを直接取り付けることも考えられるが、筐体材料の厚みが薄くなると筐体の強度が低下し筐体が撓んで、プラテンガラスと筐体との間に隙間が生じ、前記と同様に、隙間から異物が侵入する。
【０００４】
そこで、例えば特許文献１では、プラテンガラスと筐体との間にシール部材を介在させて、異物の侵入を防止する構成が提案されている。
【先行技術文献】
【特許文献】
【０００５】
【特許文献１】特開平7-287438号公報
【発明の概要】
【発明が解決しようとする課題】
【０００６】
しかしながら前記提案の構成では、シール部材をプラテンガラスの全外周にわたって介在させなければならないので、組み立て作業が煩雑となり作業効率が低下する。また、部品点数も増加する。
【０００７】
本発明は、このような従来の問題に鑑みてなされたものであり、その目的は、筐体上面に形成された開口部にプラテンガラスが取り付けられた原稿読み取り装置において、撓みなどの変形を筐体に生じさせることなく、また部品点数を増加させずに筐体内への異物の侵入を防止することにある。
【課題を解決するための手段】
【０００８】
前記目的を達成する本発明に係る原稿読み取り装置は、上面に開口部が形成された筐体と、筐体内に取り付けられた光学部品と、筐体の開口部の少なくとも一部を封止するように取り付けられた、原稿が載置されるプラテンガラスと有し、プラテンガラスは、前記開口部の周縁に連続して形成された、筐体上面の他の部分より一段高い支持部によって支持され、プラテンガラスと前記支持部とは気密に接触し、前記支持部の外周端が、プラテンガラスの外周端よりも内側に位置していることを特徴とする。
【０００９】
ここで、自動原稿搬送装置によって搬送されてきた原稿を読み取るためのスリットガラスをさらに設け、プラテンガラスとスリットガラスとによって筐体の開口部を封止するようにしてもよい。
【００１１】
そしてまた、前記支持部に、プラテンガラスを位置決めするための立ち上がり部を切り起こし形成し、切り起こし後の開口を前記筐体の内側から弾性部材で塞ぐようにしてもよい。
【発明の効果】
【００１２】
本発明に係る原稿読み取り装置では、筐体上面の開口部の周縁に連続して形成された、筐体上面の他の部分より一段高い支持部によってプラテンガラスを支持するので、筐体がプラテンガラスの重みなどで撓み変形するおそれがなく、またプラテンガラスと支持部とは気密に接触しているので、シール部材などを用いることなく筐体内への異物の侵入を防止できる。さらに、前記支持部の外周端がプラテンガラスの外周端よりも内側に位置しているので、支持部の近傍の基準面に異物が堆積することが抑制される。
【図面の簡単な説明】
【００１３】
【図１】本発明に係る原稿読み取り装置の一例を示す斜視図。
【図２】図１に示す原稿読み取り装置の概略構成を示す垂直断面図。
【図３】図１のＡ部の部分拡大図。
【図４】プラテンガラスの支持部への取付状態を示す部分垂直断面図。
【図５】本発明に係る原稿読み取り装置の他の例を示す斜視図。
【図６】図５の原稿読み取り装置のスリットガラスの長手方向両端部の垂直断面図。
【図７】図５の原稿読み取り装置のスリットガラスの長手方向中央部の垂直断面図。
【図８】立ち上がり部を形成した支持部の部分斜視図。
【発明を実施するための形態】
【００１４】
以下、本発明に係る原稿読み取り装置について図に基づいてさらに詳しく説明するが本発明はこれらの実施形態に何ら限定されるものではない。
【００１５】
図１に本発明に係る原稿読み取り装置の一例を示す斜視図を、図２に概略構成を示す垂直断面図をそれぞれ示す。図１に示す原稿読み取り装置Ｒ１は、筐体２の上面に形成された四角形状の開口部２０にプラテンガラス１１が載置されている。筐体２の内部には、後述する走行ユニット（光学部品）１２ａ，１２ｂとＣＣＤなどの光を電気信号に変換する撮像素子（光学部品）１３とが設けられている。
【００１６】
図２に示すように、プラテンガラス１１の下側には第１走行ユニット１２ａ及び第２走行ユニット１２ｂが設けられている。第１走行ユニット１２ａ及び第２走行ユニット１２ｂは、不図示の駆動伝達機構や走行用レールによってモータ１５からの動力で水平方向に移動する。
【００１７】
第１走行ユニット１２ａは、光源１２１と、反射板１２２と、ミラー１２３とを備え、プラテンガラス１１上に載置された原稿１０に対して、光源１２１から光を照射し、その反射光をミラー１２３で第２走行ユニット１２ｂへ送る。なお、反射板１２２で光源１２１の光を効率的に原稿面へ照射する効果を高めるためのものである。この第１走行ユニット１２ａは、原稿１０の左端から右端まで移動し、原稿からの反射光を連続的に第２走行ユニット１２ｂへ送る。
【００１８】
第２走行ユニット１２ｂは、ミラー１２４とミラー１２５とを備え、第１走行ユニット１２ａから送られてきた光を、レンズ１２ｃを介してＣＣＤなどの撮像素子１３へ送る。第２走行ユニット１２ｂは、第１走行ユニット１２ａと同期して移動するが、その移動速度は第１走行ユニット１２ａの半分である。この第２走行ユニット１２ｂの移動によって、原稿１０の画像面からレンズ１２ｃまでの距離は原稿１０のどの位置でも同じとなる。これにより、原稿１０のどの位置でも焦点は合った状態となる。
【００１９】
そして、レンズ１２ｃで集光された光は撮像素子１３に照射され電気信号に変換される。なお、この例では撮像素子１３によって原稿の画像を電気信号に変換する例を示したが、撮像素子１３に換えて感光体を原稿読み取り装置の外側に配置し、一様に帯電させた感光体表面にレンズ１２ｃを通過した光を照射して露光することにより、原稿画像と同じ静電潜像を感光体表面に形成してもよい。この場合、レンズ１２ｃを通過した光は別設の窓ガラスを通して感光体に照射する。
【００２０】
図３に、図１のＡ部分の拡大斜視図を示す。図１及び図３に示すように、筐体２の上面に形成された開口部２０の周縁には、筐体上面の他の部分より一段高い支持部２２が全周にわたって連続して形成されている。
【００２１】
図４に示すように、支持部２２は、筐体２の基準面２１よりも高さＨだけ高く形成されている。この支持部２２の上面にプラテンガラス１１が載置され、プラテンガラス１１は支持部２２によって支持される。このように、プラテンガラス１１と筐体２との接触面を基準面２１よりも一段高くすることによって、筐体２の上面に堆積したゴミや塵埃などの異物が筐体２内へ侵入することが抑制される。また、曲げモーメントに対する筐体２の強度が向上し、プラテンガラス１１を支持することによっても筐体２に撓みなどの変形は生じない。高さＨに特に限定はないが、一般に０．５ｍｍ〜５ｍｍの範囲が好ましい。また、基準面２１から支持部２２への傾斜角度は加工容易性等の考慮し適宜決定すればよいが、傾斜角度を急角度にするほど、筐体２内への異物侵入抑制効果が高くなる。
【００２２】
さらに、支持部２２の外周端２２ａを、プラテンガラス１１の外周端１１ａよりも内側に位置させている。これにより、支持部２２の近傍の基準面２１に異物が堆積することが抑制される。部品寸法や組み立てにばらつきがある場合であっても、支持部２２の平坦面が露出しないようにする観点からは、支持部２２の外周端２２ａとプラテンガラス１１の外周端１１ａと間の長さＬ２は１ｍｍ〜５ｍｍの範囲とするのが好ましい。また、プラテンガラスに局部的な力が加わることを回避する観点からは、プラテンガラス１１と支持部２２との接触長さＬ１は１ｍｍ〜１０ｍｍの範囲とするのが好ましい。
【００２３】
図５に、本発明に係る原稿読み取り装置の他の実施形態を示す斜視図を示す。この図に示す原稿読み取り装置Ｒ２は、不図示の自動原稿搬送装置（ＡＤＦ）によって搬送されてきた原稿を読み取るためのスリットガラス３２を有し、筐体２の開口部２０は、スリットガラス３２とプラテンガラス１１とによって封止されている。
【００２４】
スリットガラス３２は、筐体２の開口部２０の一部に装着されたガイド部材３１の開口３０に嵌め入れられることにより取り付けられている。図６に、スリットガラス３２の長手方向両端部の垂直断面図を示し、図７に、スリットガラス３２の長手方向中央部の垂直断面図を示す。図６に示すように、スリットガラス３２は、ガイド部材３１の長手方向両端部に形成された、開口３０の側面下端から開口内方へ延出した受け部３１ａによって支持されている。一方、図７に示すように、ガイド部材３１の長手方向両端部の間の中間部には受け部は形成されておらず、ガイド部材３１の開口３０の側面とスリットガラス３２の側面とが接触しているだけで、ガイド部材３１とスリットガラス３２との隙間から筐体２内部にゴミや塵埃が侵入するおそれがあるので、この接触面を塞ぐようにガイド部材３１とスリットガラス３２とにわたってシート部材３４が貼設されている。なお、ガイド部材３１の開口３０の側面全周にわたって受け部３１ａを形成し、スリットガラス３２を支持するようにしてももちろん構わない。
【００２５】
他方、図５に示すように、プラテンガラス１１の３つ辺は、前記実施形態と同様に、筐体２に形成された支持部２２によって支持されている。プラテンガラス１１の残る１つの辺は、ガイド部材３１によって支持されている。具体的には、図６及び図７に示すように、ガイド部材３１の側面に形成された、プラテンガラス１１の厚みとほぼ等しい高さの矩形状の切込み３１ｂに、プラテンガラス１１の前記１つの辺が嵌め込まれ、プラテンガラス１１はガイド部材３１に支持されている。なお、プラテンガラス１１表面に原稿１０を載置するときの基準位置を示す原稿位置決め部材３３も、プラテンガラス１１上にガイド部材３１によって固定支持されている。
【００２６】
プラテンガラス１１を筐体２に高精度で取り付けるために、位置決め部を筐体２に設けてもよい。図８に、位置決め部の一例を示す部分斜視図を示す。筐体２に形成された支持部２２の一部に、他よりも幅の広い拡張部２２１が設けられている。そして、拡張部２２１の開口部側の端部から四角形状の立ち上がり部２３が切り起こされている。この立ち上がり部２３に、プラテンガラス１１の側面を当接させることによってプラテンガラス１１の筐体２に対する位置決めがなされる。なお、立ち上がり部２３を切り起こした後に形成される開口２４は、開口２４の深さと等しい又は若干厚い弾性部材２５を筐体２の内側から貼着することによって充塞されている。これにより、開口２４から筐体２内への異物の侵入が防止される。立ち上がり壁２３は、プラテンガラス１１の１つの辺又は２つ以上の辺に対して設ければよく、少なくとも隣り合う２つの辺に対して設けるのが好ましい。また立ち上がり壁２３は、プラテンガラス１１の１つの辺に対して１つ又は２つ以上設けてもよい。
【産業上の利用可能性】
【００２７】
本発明に係る原稿読み取り装置は、筐体上面の開口部の周縁に連続して形成された、筐体上面の他の部分より一段高い支持部によってプラテンガラスを支持するので、筐体がプラテンガラスの重みなどで撓み変形するおそれがなく、またプラテンガラスと支持部とは気密に接触しているので、シール部材などを用いることなく筐体内への異物の侵入を防止でき有用である。
【符号の説明】
【００２８】
２    筐体
Ｒ１，Ｒ２    原稿読み取り装置
１０    原稿
１１    プラテンガラス
１１ａ  プラテンガラスの外周端
１２ａ，１２ｂ    走行ユニット（光学部品）
１３    撮像素子（光学部品）
２０    開口部
２１    基準面
２２    支持部
２２ａ  支持部の外周端
２３    立ち上がり部
２４    開口
２５    弾性部材
３１    ガイド部材
３２    スリットガラス
【図１】
0005527296.tif 000002
【図２】
0005527296.tif 000003
【図３】
0005527296.tif 000004
【図４】
0005527296.tif 000005
【図５】
0005527296.tif 000006
【図６】
0005527296.tif 000007
【図７】
0005527296.tif 000008
【図８】
0005527296.tif 000009